(57)【要約】  【課題】  ジャックに既に差し込まれているプラグや、このプラグが差し込まれているジャックを介して電子機器又は情報通信機器へ不正にアクセスされないように防御する方法と、この方法に用いる装置を提供する。  【解決手段】  ジャックに差し込まれたプラグに、プラグのレバーを実質的に押し動かすことができないようにするレバー操作停止手段を設け、このレバー操作停止手段を解除できないように施錠することにより、送受信用コードのプラグがジャックから抜き取られることを防止し、ジャック又はプラグを介した電子機器又は情報通信機器への不正なアクセスを防止する。このために用いられるプラグ抜き取り防止装置は、ケーシングと、プラグのレバーを実質的に押し動かすことができないようにするためのレバー操作停止手段と、レバー操作停止手段を解除できないように施錠する施錠手段とを有する。【選択図】  図２
2006210106.tif 000002
【特許請求の範囲】
【請求項１】
電子機器又は情報通信機器のジャックに差し込まれた送受信用コード端部のプラグに、該プラグのレバーを実質的に押し動かすことができないようにするレバー操作停止手段を設け、該レバー操作停止手段を解除できないように施錠することにより、送受信用コードのプラグがジャックから抜き取られることを防止し、ジャック又はプラグを介した電子機器又は情報通信機器への不正なアクセスを防止することを特徴とする電子機器又は情報通信機器の保護方法。
【請求項２】
請求項１の電子機器又は情報通信機器の保護方法に用いられる装置であって、送受信用コード端部またはプラグの少なくとも一方に固定されるケーシングと、プラグのレバーを実質的に押し動かすことができないようにするためケーシング内に配置されたレバー操作停止手段と、レバー操作停止手段を解除できないように施錠する施錠手段とを有することを特徴とするプラグ抜き取り防止装置。
【請求項３】
前記レバー操作停止手段は、プラグのレバーを押し動かそうとするときにレバーに当接してレバー操作を阻止する位置から、レバーに当接せずレバー操作を阻止しない位置まで、少なくとも両位置間を移動させることが可能に設けられ、
前記施錠手段は、鍵が差し込まれて回転操作される錠本体部と、該錠本体部の回転運動による力を伝達してレバー操作停止手段を前記両位置間で移動させる伝達部材とを含む請求項２記載のプラグ抜き取り防止装置。
【請求項４】
前記レバー操作停止手段は、プラグのレバーを押し動かそうとするときにレバーに当接してレバー操作を阻止する位置から、レバーに当接せずレバー操作を阻止しない位置まで、少なくとも両位置間を移動させることが可能な部材であって、レバー操作を阻止しない位置に向けて弾性部材により付勢されており、
前記施錠手段は、鍵が差し込まれて操作される錠本体部と、レバー操作停止手段に係合して前記レバー操作を阻止する位置に停止させる係合部材とを含み、錠本体部の回転運動による力を伝達して係合部材をレバー操作停止手段に着脱させるものである請求項２記載のプラグ抜き取り防止装置。
【請求項５】
前記錠本体部は、先端がほぼ半円形断面に形成された軸部材を含み、該軸部材の先端は前記係合部材に形成された孔に挿入され、弾性部材により付勢された係合部材の位置を規定するものであり、該軸部材の先端の円周部分を孔面に当接させることにより係合部材の係合状態を解除し、該軸部材の先端の径部分が当接するとき係合部材をプラグのレバー操作停止手段の所定箇所に係合させるものである請求項４記載のプラグ抜き取り防止装置。
【発明の詳細な説明】
【技術分野】
【０００１】
本発明は、電子機器又は情報通信機器のジャックに既に差し込まれている送受信用コード端部のプラグや、このプラグが差し込まれているジャックを介して、電子機器又は情報通信機器へ不正にアクセスされないように防御する方法と、この防御方法に用いる装置に関する。
【背景技術】
【０００２】
コンピュータやサーバー等の電子機器又は情報通信機器には複数のジャックが設けられており、これらのジャックには、それぞれ送受信用コードのプラグが差し込まれている。これは、端末あるいは周辺機器等と、データ又は電気信号を送受信可能にするものであるが、多くの場合に、このような送受信用コードのプラグは、ジャックから比較的簡単に抜き差しできるものである。したがって、悪意ある者がプラグを抜き取り、ジャックに自己の携帯端末からの配線を接続したり、あるいは抜き取ったプラグを携帯端末のジャックに差し込めば、電子機器又は情報通信機器への不正なアクセスが比較的容易に可能になり、機器内の情報が盗み取られたり、機器内の情報が破壊されたりする可能性がある。
以上のような電子機器又は情報通信機器への不正なアクセスを防止するべく、機器が設置された所定エリアへの立入りを限定したり、機器全体を筐体に収納し、筐体の開閉扉を施錠したりといった対策が考えられている。
【発明の開示】
【発明が解決しようとする課題】
【０００３】
しかしながら、電子機器又は情報通信機器を使用する者の業務内容によっては、機器設置エリアへの立入りを限定することが困難であったり、あるいは、機器設置エリアへの立入りを限定したとしても、悪意ある者が何らかの方法によりプラグを抜き取り、このプラグやジャックを不正に利用する可能性を皆無にすることは困難である。
また機器全体を筐体に収納する対策では、システム構成の変更等により、随時行われる送受信配線プラグの差し替え作業等に迅速に対応することができなかったり、場合によっては、機器の構造上の理由から開閉扉を設けることが不可能なこともある。
【０００４】
本発明の課題は、電子機器又は情報通信機器のジャックに既に差し込まれている送受信用コードのプラグや、このプラグが差し込まれているジャックを介して、電子機器又は情報通信機器へ不正にアクセスされないように防御する方法を提供することにある。
【０００５】
本発明の別の課題は、電子機器又は情報通信機器のジャックに既に差し込まれている送受信用コード端部のプラグを容易に抜き取ることができないように防御する装置を提供することにある。
【課題を解決するための手段】
【０００６】
本発明では、電子機器又は情報通信機器のジャックに差し込まれた送受信用コード端部のプラグに、該プラグのレバーを実質的に押し動かすことができないようにするレバー操作停止手段を設け、該レバー操作停止手段を解除できないように施錠することにより、送受信用コードのプラグがジャックから抜き取られることを防止し、ジャック又はプラグを介した電子機器又は情報通信機器への不正なアクセスを防止することを特徴とする電子機器又は情報通信機器の保護方法が提供される。
ここで、慣用されているジャックとプラグの構造について簡略に説明すれば、ジャックはフロントカバーに段状の開口が形成され、この段状開口の所定箇所がプラグの掛止する受け部として用いられ、一方、プラグは端子が内蔵された本体部にレバーが設けられ、このレバーに、ジャック受け部に掛止するフランジが形成されている。したがって、ジャックに差し込まれたプラグを抜き取るためには、レバーを押し動かし、ジャック受け部に掛止したレバーのフランジを外す必要がある。
したがって、本発明における「プラグのレバーを実質的に押し動かすことができないようにする」とは、例えば、レバーのフランジがジャック受け部から外れるまで、レバーを押し動かすことができないようにするということであり、レバーのフランジがジャック受け部から外れない程度の動きは許容するものである。
上記構成の電子機器又は情報通信機器の保護方法では、プラグのレバーを実質的に押し動かすことができないように操作停止状態にすると共に、この操作停止状態を解除できないように施錠することにより、プラグがジャックから抜き取られることを防止するものであるため、たとえ、不特定多数の人間の出入りするゾーンや、ハブから遠く離れた場所に電子機器又は情報通信機器が置かれたとしても、悪意ある者等がプラグをジャックから抜き取ることはできず、したがって、これらプラグやジャックが悪意ある者の携帯端末等に接続され、電子機器又は情報通信機器へ不正にアクセスされることを防止できる。
【０００７】
本発明では、電子機器又は情報通信機器の保護方法に用いられる装置であって、送受信用コード端部またはプラグの少なくとも一方に固定されるケーシングと、プラグのレバーを実質的に押し動かすことができないようにするためケーシング内に配置されたレバー操作停止手段と、レバー操作停止手段を解除できないように施錠する施錠手段とを有することを特徴とするプラグ抜き取り防止装置が提供される。
本発明のプラグ抜き取り防止装置では、ジャックからプラグを抜き取る際に押し動かすレバーを、実質的に押し動かすことができないようにすると共に、このレバー操作不能状態を施錠手段により解除できないようにするものであるため、これらプラグをジャックから抜き取ることはできず、したがって、これらプラグやジャックが悪意ある者の携帯端末等に接続され、電子機器又は情報通信機器へ不正にアクセスされるといった事態を防止することができる。
また本発明のプラグ抜き取り防止装置は、ジャックに差し込まれたプラグの抜き取り防止効果に加え、ジャックに差し込まれていないプラグの悪用防止効果も得られるものである。すなわち、プラグが未だジャックに差し込まれていないときに、レバーを押し動かすことができないようにレバー操作停止手段を設定し、これを解除できないように施錠すれば、このプラグはジャックに差し込むことができなくなり、したがって、悪意ある者がプラグを自己の携帯端末等に接続するといったことが防止可能になる。
【０００８】
本発明において、前記レバー操作停止手段は、プラグのレバーを押し動かそうとするときにレバーに当接してレバー操作を阻止する位置から、レバーに当接せずレバー操作を阻止しない位置まで、少なくとも両位置間を移動させることが可能なように設け、一方、前記施錠手段は、鍵が差し込まれて回転操作される錠本体部と、該錠本体部の回転運動による力を伝達してレバー操作停止手段を前記両位置間で移動させる伝達部材とを含むように構成することができる。
【０００９】
本発明において、前記レバー操作停止手段は、プラグのレバーを押し動かそうとするときにレバーに当接してレバー操作を阻止する位置から、レバーに当接せずレバー操作を阻止しない位置まで、少なくとも両位置間を移動させることが可能な部材であって、レバー操作を阻止しない位置に向けて弾性部材により付勢され、一方、前記施錠手段は、鍵が差し込まれて操作される錠本体部と、レバー操作停止手段に係合して前記レバー操作を阻止する位置に停止させる係合部材とを含み、錠本体部の回転運動による力を係合部材に伝達してレバー操作停止手段に着脱させるように構成することができる。
ここで、前記錠本体部は、先端がほぼ半円形断面に形成された軸部材を含み、該軸部材の先端は前記係合部材に形成された孔に挿入され、弾性部材により付勢された係合部材の位置を規定するものであり、該軸部材の先端の円周部分を孔面に当接させることにより係合部材の係合状態を解除し、該軸部材の先端の径部分が当接するとき係合部材をプラグのレバー操作停止手段の所定箇所に係合させるように構成することができる。
【発明の効果】
【００１０】
本発明により、電子機器又は情報通信機器のジャックに既に差し込まれている送受信用コードのプラグを抜き取り、これらジャック又はプラグを介して、電子機器又は情報通信機器へ不正にアクセスするといった事態を防止することが可能になる。
【発明を実施するための最良の形態】
【００１１】
以下、図面を参照して本発明について説明するが、本発明はこれに限定されるものではない。
【００１２】
図１は本発明にかかるプラグ抜き取り防止装置１０の図であって、図１（ａ）は上面図、図１（ｂ）は側面図、図１（ｃ）は下面図、図１（ｄ）は前端面図、図１（ｅ）は後端面図である。また図２（ａ）（ｂ）及び図３（ａ）（ｂ）は、それぞれ図１（ａ）（ｂ）におけるＡ−Ａ線、Ｂ−Ｂ線に沿った断面図である。なお、以下の本実施形態における上下左右等の配置については、添付図面における位置関係に基づいて記載する。
プラグ抜き取り防止装置１０では、ハウジング１１（ケーシング）内に錠本体部１２（施錠手段）及びスライドストッパ１３（レバー操作停止手段）が収納され、この錠本体部１２の先端の軸部分１２ａにカム１４が固定され、スライドストッパ１３の下にプラグ４０及びコード４１が挿設され、このプラグ４０及びコード４１をハウジング１１内に封止するようにベースキャップ１５（ケーシング）が取り付けられている。
ここで、プラグ４０及びジャック５０について簡単に説明すれば、プラグ４０は、図７（ａ）（ｂ）に示したように、コード４１に接続された本体部４２にレバー４３が一体に設けられ、レバー４３にはジャック５０側の受け部５１に掛止するフランジ４４が形成されている。一方、プラグ４０が挿入されるジャック、つまり、電子機器又は情報通信機器における送受信配線のプラグ差込用のジャック５０は、図７（ｃ）に示したように、フロントカバー５２の前面に段状の開口５３が形成されたものであり、フロントカバー５２の段状部分がプラグ４０のフランジ４４に掛止する受け部５１として機能する。
【００１３】
次に、プラグ抜き取り防止装置１０の各構成について更に説明する。
ハウジング１１の内部にはフランジ部１１ａ（図２（ｂ）参照）が形成されており、このフランジ部１１ａの上にスライドストッパ１３が摺動可能に収容されている。スライドストッパ１３には凸部１３ａが後端に形成されており、一方、カム１４には凸部１３ａに係合する螺旋状の溝１４ａが刻設されている。したがって、カム１４を回転させることにより、その螺旋状溝１４ａの内壁から凸部１３ａに押圧力が作用し、スライドストッパ１３を少なくとも図２の位置と図３の位置との間で前後に摺動させることができる。
【００１４】
スライドストッパ１３の先端には、二股状（図１（ａ）参照）のテーパ部１３ｂが設けられており、スライドストッパ１３が前方に摺動したときに、テーパ部１３ｂの先端が図２（ａ）のようにプラグ４０のフランジ４４の下に入り込み、ほとんど隙間ができないように形成されている。したがって、テーパ部１３ｂの先端がフランジ４４の下に入り込んでいる状態では、プラグ４０のレバー４３は押し下げることができず、プラグ４０をジャックから抜き取ることも不可能になる。
一方、スライドストッパ１３が後方に摺動し、図３（ａ）の位置に到達すると、テーパ部１３ｂの二股部分は図１（ａ）に示すようにレバー４３の下方に位置し、レバー４３の下方にはこれを押し下げることが可能なクリアランスが存在する。したがって、この状態では、プラグ４０のレバー４３を押し下げれば、プラグ４０は簡単にジャックから抜き取ることができる。
【００１５】
またハウジング１１の下端には、図１（ｃ）に示したように、複数の凸部１１ａが形成されており、これら凸部１１ａがベースキャップ１５の嵌合孔１５ａに嵌め込まれる。ベースキャップ１５の前端には、図２に示したように、プラグ４０の本体部下面の凸部４２ａに嵌合するように、曲折部１５ｂが形成されており、これにより、プラグ抜き取り防止装置１０からプラグ４０及びコード４１が抜けないようになっている。
【００１６】
錠本体部１２としては、シリンダー錠の既存ユニットを使用することが可能であり、例えば、外筒部材１２ｂの内部に軸部材（図示せず）が挿着され、この軸部材は後端の鍵穴１２ｃに挿入された鍵（図示せず）により回転可能に設けられ、その先端には他の軸部材１２ａが連結されるか、一体に形成される。この軸部材１２ａにはカム１４が固定されている。錠本体部１２の軸部材１２ａは、ハウジング１１の内部でカム１４を介してスライドストッパ１３の凸部１３ａに係合するものであるため、スライドストッパ１３は、錠本体部１２を介してのみ解除操作が可能となる。
【００１７】
なお、プラグ抜き取り防止装置１０は、多くの場合に、工場等の生産現場であらかじめプラグ４０やコード４１に取り付けられて出荷されるものであるが、例えば、既存のプラグ４０やコード４１にプラグ抜き取り防止装置１０を後付けして使用することも可能である。
【００１８】
次に、図２及び図３を参照してプラグ抜き取り防止装置１０の操作方法について説明する。プラグ抜き取り防止装置１０はプラグ４０やコード４１に取り付けられ、鍵の操作により事前に図３の状態にされ、電子機器又は情報通信機器のジャックに差し込まれる。そして、鍵を回転操作すると、錠本体部１２の先端の軸部材１２ａも回転する。これにより、軸部材１２ａの先端に取付けられたカム１４も回転し、その螺旋状溝１４ａがスライドストッパ１３の凸部１３ａに係合しているため、スライドストッパ１３を前方に押して摺動させ、プラグ抜き取り防止装置１０は図２の状態になる。図２の状態では、スライドストッパ１３の先端１３ｂが、レバー４３のフランジ４４の下に入り込んでおり、プラグ４０のレバー４３は押し下げることができず、プラグ４０をジャックから抜き取ることが不可能になる。
逆に、プラグ４０をジャックから抜き取る際には、鍵の操作により、スライドストッパ１３を後方に摺動させて図３の状態にすれば、レバー４３は押し下げることが可能になり、プラグ４０の抜き取りも可能になる。
【００１９】
次に、図４（ａ）〜（ｄ）は図１〜図３の実施形態とは異なるプラグ抜き取り防止装置２０の図である。図５（ａ）（ｂ）はプラグのレバーを押し動かすことが可能な状態のプラグ抜き取り防止装置２０を示す図であり、図５（ａ）は図４（ａ）（ｂ）におけるＡ−Ａ線に沿った断面図、図５（ｂ）はＢ−Ｂ線に沿った断面図である。また図６（ａ）（ｂ）はプラグのレバーを押し動かすことが不可能な状態を示す図であり、図６（ａ）は図４（ａ）（ｂ）におけるＡ−Ａ線に沿った断面図、図６（ｂ）はＢ−Ｂ線に沿った断面図である。
プラグ抜き取り防止装置２０は、ハウジング２１内に錠本体部２２及びスライドストッパ２３が収納され、このスライドストッパ２３の動きを規制するためのラッチ２４が、錠本体部２２から延びる軸部材２２ａの先端２２ｂに係合し、スライドストッパ２３の下にプラグ４０及びコード４１が挿設され、このプラグ４０及びコード４１をハウジング２１内に封止するようにベースキャップ２５が取り付けられている。
なお、ハウジング２１とベースキャップ２５は、図１〜図３に記載した実施態様と同様に構成され、相互に嵌め合わされ、プラグ抜き取り防止装置２０からプラグ４０及びコード４１が抜けないようになっている。
【００２０】
次に、プラグ抜き取り防止装置２０の各構成について更に説明する。
ハウジング２１の内部には、スライドストッパ２３が、プラグ４０及びコード４１の軸方向に対してほぼ平行に摺動できるように収容され、スライドストッパ２３の中間部分には孔２３ａが穿設され、この孔２３ａにはラッチ２４の下端２４ａが着脱され、孔２３ａから先端２３ｂに向けてはラッチ２４の下端２４ａが嵌合して摺動する溝２３ｃ（図５（ａ）及び図６（ｂ）参照）が形成され、この溝２３ｃと先端２３ｂとの間には段状部２３ｄが設けられている。
スライドストッパ２３は、その先端２３ｂがテーパ状に形成され、スライドストッパ２３が前方に摺動したときに、このテーパ状先端２３ｂが図６（ｂ）のようにプラグ４０のフランジ４４の下に入り込み、ほとんど隙間ができないように形成されている。したがって、テーパ状先端２３ｂがフランジ４４の下に入り込んでいる状態では、プラグ４０のレバー４３は押し下げることができず、プラグ４０をジャックから抜き取ることも不可能になる。
またスライドストッパ２３には、図６（ｃ）の平面図で示したように、ショルダー部２３ｅが両側に形成され、このショルダー部２３ｅと、ハウジング２１の側壁２１ａ及び前方曲折部２１ｂとで囲まれた部分に弦巻バネ２６（弾性部材）が収容される。これにより、スライドストッパ２３は常に後方、すなわち、テーパ状先端２３ｂがプラグ４０のフランジ４４の下から離れる方向に付勢されている。
【００２１】
次に、ラッチ２４には、下端に凸部２４ａが形成され、ほぼ中央に縦長半円形の孔２４ｂが穿設され、両側にフランジ２４ｃが突設されている。下端凸部２４ａは、スライドストッパ２３の溝２３ｃを摺動し、スライドストッパ２３の孔２３ａに嵌合する部位である。ラッチ２４の孔２４ｂは錠本体部２２の軸部材２２ａの先端２２ｂが挿入される孔である。この孔２４ｂは、軸部材先端２２ｂよりも大きく形成されており、ラッチ２４は弦巻バネ（弾性部材）２７により下方に付勢されているため、ラッチ２４の上下方向の高さは軸部材先端２２ｂと孔２４ｂとの接触位置により規定される。両側のフランジ部２４ｃは弦巻バネ２７の下に配置される部位であり、このフランジ部２４ｃにより弦巻バネ２７からの力を受けて、ラッチ２４は下方に付勢されている。
【００２２】
錠本体部２２の軸部材２２ａは円柱状の軸部材であって、先端２２ｂはほぼ半円形断面に形成されている。そして、先端２２ｂの径部分が図６(ａ)に示したように孔２４ｂの孔面に当接しているときには、ラッチ２４の下端凸部２４ａが下方に突出して、スライドストッパ２３の孔２３ａに嵌合する。この状態から軸部材２２ａを回転させると、この先端２２ｂの円周部分が孔面に当接してラッチ２４を徐々に押し上げ、軸部材２２ａを約９０度回転させたときに、ラッチ２４の下端凸部２４ａとスライドストッパ２３の孔２３ａとの嵌合状態が解除される。なお、錠本体部２２としては、図１〜図３に記載した実施態様と同様に、シリンダー錠の既存ユニットを使用することが可能である。
【００２３】
次に、図５及び図６を参照してプラグ抜き取り防止装置２０の操作方法について説明する。プラグ抜き取り防止装置２０も、図１〜図３の実施態様と同様に、プラグ４０やコード４１に取り付けられ、鍵の操作により事前に図５の状態にされ、電子機器又は情報通信機器のジャックに差し込まれる。ジャックに差し込んだ後、錠本体部２２の鍵穴２２ｃに鍵を差し込んで回転操作すると、ラッチ２４が弦巻バネ２７から受ける力が高まる。そして、指でスライドストッパ２３の後端を前方に押すと、下方に付勢されているラッチ２４の下端凸部２４ａはスライドストッパ２３の溝２３ｃを摺動し、スライドストッパ２３の孔２３ａに嵌合し、プラグ抜き取り防止装置２０は図６の状態になる。図６の状態では、スライドストッパ２３の先端２３ｂが、レバー４３のフランジ４４の下に入り込んでいるため、プラグ４０のレバー４３は押し下げることができず、プラグ４０をジャックから抜き取ることが不可能になる。
逆に、プラグ４０をジャックから抜き取る際には、鍵の操作により、ラッチ２４を上方に押し上げる。これにより、ラッチ２４の下端凸部２４ａはスライドストッパ２３の孔２３ａから外れ、スライドストッパ２３は弦巻バネ２６の力により後方に押されて、ラッチ２４の下端凸部２４ａがスライドストッパ２３の溝２３ｃを摺動し、段状部２３ｄに突き当たり図５の状態まで戻され、レバー４３は押し下げることが可能になり、プラグ４０の抜き取りも可能になる。
【図面の簡単な説明】
【００２４】
【図１】図１は本発明にかかるプラグ抜き取り防止装置の図であって、（ａ）は上面図、（ｂ）は側面図、（ｃ）は下面図、（ｄ）は前端面図、（ｅ）は後端面図である。
【図２】プラグのレバーを押し動かすことが不可能な状態を示す図であって、（ａ）は図１（ａ）におけるＡ−Ａ線に沿った断面図であり、（ｂ）は図１（ｂ）におけるＢ−Ｂ線に沿った断面図である。
【図３】プラグのレバーを押し動かすことが可能な状態を示す図であって、（ａ）は図１（ａ）におけるＡ−Ａ線に沿った断面図であり、（ｂ）は図１（ｂ）におけるＢ−Ｂ線に沿った断面図である。
【図４】図１〜図３の実施形態とは異なるプラグ抜き取り防止装置の図であって、（ａ）は上面図、（ｂ）は側面図、（ｃ）は前端面図、（ｄ）は後端面図である。
【図５】図４の実施形態において、プラグのレバーを押し動かすことが可能な状態を示す図であって、（ａ）は図４（ａ）におけるＡ−Ａ線に沿った断面図であり、（ｂ）は図４（ｂ）におけるＢ−Ｂ線に沿った断面図である。
【図６】図４の実施形態において、プラグのレバーを押し動かすことが不可能な状態を示す図であって、（ａ）は図４（ａ）におけるＡ−Ａ線に沿った断面図であり、（ｂ）は図４（ｂ）におけるＢ−Ｂ線に沿った断面図である。
【図７】（ａ）はプラグの側面図、（ｂ）プラグの上面図、（ｃ）はジャックの端面図である。
【符号の説明】
【００２５】
１０  プラグ抜き取り防止装置
１１  ハウジング（ケーシング）
１２  錠本体部
１３  スライドストッパ（レバー操作停止手段）
１４  カム（伝達部材）
１５  ベースキャップ（ケーシング）
２０  プラグ抜き取り防止装置
２１  ハウジング（ケーシング）
２２  錠本体部
２３  スライドストッパ（レバー操作停止手段）
２４  ラッチ（係合部材）
２５  ベースキャップ（ケーシング）
４０  プラグ
４１  コード
４３  レバー
５０  ジャック
【図１】
2006210106.tif 000003
【図２】
2006210106.tif 000004
【図３】
2006210106.tif 000005
【図４】
2006210106.tif 000006
【図５】
2006210106.tif 000007
【図６】
2006210106.tif 000008
【図７】
2006210106.tif 000009